(57)【特許請求の範囲】
【請求項１】
粘着性部材を目蓋に貼り付けることを補助するために使用する二重目蓋形成補助器具であって、
前記二重目蓋形成補助器具は、掴み部と、掴み部から延設する延設部と、を有し、前記延設部は目蓋に貼り付ける粘着性部材を仮留め可能であり、前記粘着性部材を延設部に仮留めしたまま目蓋に貼り付ける長さに切断することが可能な粘着性部材切断手段を有することを特徴とする二重目蓋形成補助器具。
【請求項２】
請求項１に記載の二重目蓋形成補助器具であって、
前記切断手段が複数あり、当該切断手段同士の相対的な位置を変更可能な切断手段位置変更機構を有することを特徴とする二重目蓋形成補助器具。
【請求項３】
請求項１又は２の何れかに記載の二重目蓋形成補助器具であって、
前記延設部には粘着性部材を引っ張って切断する際の引っ張り方向をガイドする引っ張り方向ガイド部が設けられていることを特徴とする二重目蓋形成補助器具。
【発明の詳細な説明】
【技術分野】
【０００１】
本発明は、二重目蓋形成用補助器具に関する。特に二重目蓋の形成に使用する粘着性部材を切断可能な切断手段（刃）を備える二重目蓋形成用補助器具に関する。
【背景技術】
【０００２】
従来から二重目蓋を形成するために、様々な手法が用いられている。その中でも、目蓋に載せた粘着剤を用いて目蓋の皮膚同士を張り合わせることでラインを形成し、二重目蓋とする手法が広く知られており、その具体的な手段についても各種検討されている。例えば、合成樹脂エマルジョンを目蓋に塗布しスティックで押圧することで二重目蓋を形成することが知られている（特許文献１参照）。また、二重目蓋を形成するために、粘着剤を塗布した粘着性部材を目蓋に貼り付けることも知られている（特許文献２）。更には、粘着材を塗布した粘着性部材を目蓋に貼り付けるために、一旦、当該粘着性部材を器具に貼り付け、当該器具を目蓋に押し付けることで、粘着性部材を精度良く目蓋に貼り付けることができることも知られている（特許文献３、４参照）。
【先行技術文献】
【特許文献】
【０００３】
【特許文献１】実公昭４５−１４００９号公報
【特許文献２】特開２００２−１７７３１６号公報
【特許文献３】特開２０１１−１８８８９２号公報
【特許文献４】実用新案登録第１１９１６２号公報
【発明の概要】
【発明が解決しようとする課題】
【０００４】
しかしながら、特許文献３、４に記載された器具は粘着性部材を目蓋に貼り付けるためだけのものである。したがって、特定の長さの粘着性部材をそのまま使用するか、粘着性部材を器具に貼り付ける前にハサミなどで適切な長さに切断して使用するか、粘着性部材を目蓋に貼り付けた後にハサミなどで余分な粘着性部材を切断するか、のいずれかを選択する必要があった。
また、特許文献２に記載されるような延伸性を有する粘着性部材は、粘着性部材の端部側に位置する掴み部を持ちながら粘着性部材を伸ばすため、目蓋に粘着性部材を貼った直後には粘着性部材と掴み部が一体となっている状態で使用するものである。よって粘着性部材を目蓋に貼り付ける前に予め適切な長さにして使用するようなものではない。つまり、粘着性部材を目蓋に貼り付けた後にハサミなどで余分な粘着性部材を切断することを求められるものであった。しかし、目蓋に粘着性部材を貼り付けた後に余分な粘着性部材を切断する作業においては、目蓋にハサミを近づけることになり、危険を伴うものであった。また、粘着性部材を貼り付けた後に別途はさみを用いて余分な粘着性部材を切断することはわずらわしくもあった。
延伸性の無い粘着性部材を目蓋に貼り付ける場合、粘着性部材が使用者にとって適切な長さであるとは限らないが、粘着性部材を目蓋に貼り付ける前に粘着性部材の長さを測って切断するという作業は面倒なものでもあった。
【０００５】
本発明は、上記問題を解決するために創案されたものであって、本発明が解決しようとする課題は、目蓋に粘着性部材を適切に貼り付けること及び、別途ハサミなどを持ち直さずに粘着性部材を目蓋に貼り付ける長さに切断することを可能にすることにある。
【課題を解決するための手段】
【０００６】
本発明は、上記課題を解決するために、以下の手段をとる。
本発明の第１の発明は、粘着性部材を目蓋に貼り付けることを補助するために使用する二重目蓋形成補助器具であって、前記二重目蓋形成補助器具は、掴み部と、掴み部から延設する延設部と、を有し、前記延設部は目蓋に貼り付ける粘着性部材を仮留め可能であり、前記粘着性部材を延設部に仮留めしたまま目蓋に貼り付ける長さに切断することが可能な粘着性部材切断手段を有することを特徴とする。
【０００７】
上記第１の発明によれば、粘着性部材を目蓋に貼り付ける作業と、余分な粘着性部材を切断する作業と、を一つの器具を用いて行うことができ、使用者は複数の道具を準備する必要が無い。また、二重目蓋形成補助器具に備えられた切断手段により、二重目蓋形成補助器具に仮留めされた粘着性部材を目蓋に貼り付ける長さに切断することが可能であるので、貼着状態に近い適切な張力を与えた状態で粘着性部材を切断することが可能となりえる。また、粘着性部材を二重目蓋形成補助器具で支持した状態で目蓋に貼り付けることが可能であるため、粘着性部材を適切な張力を与えた状態で目蓋に貼り付けることが可能であり、粘着性部材が蛇行した状態で目蓋に貼り付けられるような失敗を回避することが可能である。
なお、本発明における粘着性部材という用語には切断されるという概念がなじまない状態のものは含まれない。つまり、それ自身で形を一定時間維持できない液体は含まれない。
【０００８】
本発明の第２の発明は、上記第１の発明において、前記切断手段が複数あり、当該切断手段同士の相対的な位置を変更可能な切断手段位置変更機構を有することを特徴とする。
【０００９】
上記第２の発明によれば、切断手段位置変更機構により粘着性部材の切断手段の相対的な位置を変更可能であるため、粘着性部材を所望の長さとするように切断可能である。よって、目蓋の大きさの個人差に関わらず、粘着性部材を目蓋に貼り付ける適切な長さにすることが可能となりえる。
【００１０】
本発明の第３の発明は、上記第１又は２の発明において、前記延設部には粘着性部材を引っ張って切断する際の引っ張り方向をガイドする引っ張り方向ガイド部が設けられていることを特徴とする。
【００１１】
上記第３の発明によれば、切断手段は粘着性部材を引っ張って切断することが可能であり、当該切断手段に対して粘着性部材を引っ張って切断する際の引っ張り方向が理解できる構造であるので、使用者にとって切断作業をしやすい。
【発明の効果】
【００１２】
本発明を利用すれば、目蓋に粘着性部材を適切に貼り付けること及び、別途ハサミなどを持ち直さずに粘着性部材を目蓋に貼り付ける長さに切断することが可能となる。
【図面の簡単な説明】
【００１３】
【図１】第１実施例における二重目蓋形成補助器具の全体図である。
【図２】図１におけるＡ領域の拡大図である。
【図３】第１実施例において粘着性部材の切断手順をあらわす概念図である。
【図４】第１実施例の変形例を表した図である。
【図５】第２実施例における二重目蓋形成補助器具の全体図である。
【図６】図５におけるＢ領域の拡大図である。
【図７】第２実施例において粘着性部材の切断手順をあらわす概念図である。
【発明を実施するための形態】
【００１４】
以下に、本発明を実施するための形態について、図面を用いて説明する。
【実施例１】
【００１５】
始めに、実施例１における二重目蓋形成補助器具１の構成について、図１及び図２を用いて説明する。
二重目蓋形成補助器具１は図１に示されているように、掴み部２と、掴み部２から延設される延設部３と、を有している。図１においては、掴み部２は主把持部１６の一端から二つの柱状部材１１が接続されるように構成されており、当該二つの柱状部材１１から延設するように二つの延設部３が設けられている。
前記掴み部２の二つの柱状部材１１同士の離間距離よりも更に離間距離を広げるように、延設部３が設けられており、延設部３の端部には粘着性部材５０を仮留めするために用いられる仮留め部１２を設けている。仮留め部１２は粘着性部材５０を配置できるように凹部１５が形成されており、二つの仮留め部１２間に粘着性部材５０を掛け渡すことができる構成となっている。図２に示されるように切断手段である刃４は延設部３の端部に設けられた凹部１５内に設けられている。当該刃４の刃先は凹部１５の中に収まっているので、当該刃４によって怪我をする可能性を低減することができる。なお、本実施例においては、凹部１５を刃４の刃先がある位置よりも内方まで設けているので、当該凹部１５自身が粘着性部材５０を引っ張る方向をガイドする引っ張り方向ガイド部１７となる。
掴み部２は平板を円弧状に反らせたような形状であるため、持ちやすくなっている。掴み部２には切断手段の位置を調整するために使用される切断手段位置変更機構１３が設けられている。当該切断手段位置変更機構１３は、頭部を有する雄螺子３５を、一方の柱状部材１１に設けられた貫通孔に挿通させ、その状態で前記雄螺子３５を他方の柱状部材１１に設けられた雌螺子３７と螺合させることにより構成されている。
当該構成であると、前記雌螺子３７に対して前記雄螺子３５を締めこむことにより、二つの柱状部材１１は接近して位置することとなる。また、締めこんだ螺子３５，３７を緩めると、二つの柱状部材１１には弾性力により元に戻ろうとする復元力が働くので、二つの柱状部材１１が離れて位置することとなる。
この二つの柱状部材１１の相対的な位置の変更により、柱状部材１１の延長上に位置する切断手段４の相対的な位置が変更される。よって、使用者は目蓋に貼るために必要な長さで粘着性部材５０を切断することが可能となる。
なお、雄螺子３５の頭部にはローレット加工が施されており、回転作業がしやすくなっている。
当該構成であれば、延設部３の相対位置を変化させることが可能であることから、切断作業が必要でない粘着性部材５０を目蓋に貼り付ける際にも貢献可能である。粘着性部材５０を仮留めする位置を調整するために切断手段位置変更機構１３を使用することが可能だからである。
【００１６】
粘着性部材５０を切断する切断手段について説明する。
本実施例において切断手段は延設部３の端部に設けられた刃４である。図２に示されるように、刃４は凹部１５内に位置するように固定される。刃４の固定は凹部１５とは別に設けられた刃挿入孔１４に刃４を圧入することで達成される。
本実施例においては、柱状部材１１の延長上にある二つの延設部３の各々に刃４を配設しており、当該二つの刃４が互いに略平行になるように配置している。ただし、刃４は平行に配置することに限られず、刃先が刃４全体に比して掴み部２の中心軸から若干離れるようなハの字状に配置することもできる。このような刃４の配置にすることにより、粘着性部材５０をより切断しやすくなる。
また、図示していないが刃先はテープカッターで使用されるような波形状となるように設けている。波形状としないことも可能であるが、波形状とするほうが粘着性部材５０をより切断しやすくなる。
当該刃４の刃先は凹部１５内に位置するので、使用時に刃先と目蓋が接触する可能性は高くないが、より、安全に使用するために図４に変形例として示すように凹部１５の開口部を塞ぐように保護壁３９を形成することも可能である。当該変形例においては、刃先の前側において刃先を覆うようにプレート状の保護壁３９を位置させている。よって、使用者と刃先の間に当該プレート状の保護壁３９が必ず位置することになり、使用時に刃先と目蓋が接触する可能性を更に低くすることが可能となる。当該構成であると上記図４における上方から刃４近辺まで粘着性部材５０を挿入させることになる。
【００１７】
本実施例においては、凹部１５の底の位置を刃４の刃先が位置する部分よりも掴み部２側となるように構成している。この凹部１５を深めに構成することにより、刃４の刃先と凹部１５の底との距離を長くしているので、当該凹部１５の一部が粘着性部材５０を引っ張る方向をガイドする役割を担っている。つまり、当該凹部１５の一部が引っ張り方向ガイド部１７となる。引っ張り方向ガイド部１７があると粘着性部材５０を引っ張る方向を容易に把握することができるため、使用方法を間違えにくくなる。
【００１８】
次に二重目蓋形成補助器具１の使用方法を説明する。
本説明においては延伸性のある粘着性部材５０を使用するものとする。
二重目蓋形成補助器具１の切断手段位置変更機構１３を使用して、各々が切断手段である二つの刃４の相対位置を調節する。相対位置をどのあたりにするのかは鏡を使用して、使用者自身の姿を確認しながら行う。例えば、二重目蓋形成補助器具１を目蓋に当て切断手段の刃４がどの辺りにあるのかを確認しながら切断手段位置変更機構１３の雄螺子３５を回し、切断手段の刃４の相対位置の調整を行う。
なお、一度、切断手段である刃４の相対位置を適切に設定して固定した場合、使用者に変更がなければ、刃４の相対位置を設定する必要は無い。
その後、粘着性部材５０を長手方向に引き伸ばし、図３の（ａ）に示すように、当該粘着性部材５０の粘着部を二重目蓋形成補助器具１の仮留め部１２に接するように載せる。本実施形態の場合、粘着性部材５０は刃４の上に載っている状態である。この作業により、粘着性部材５０はその粘着性により二重目蓋形成補助器具１に仮留めされることになる。
二重目蓋形成補助器具１に仮留めされた粘着性部材５０が目蓋に当たるように二重目蓋形成補助器具１を移動させる。この状態では粘着性部材５０は目蓋にも二重目蓋形成補助器具１にも接している状態である。
粘着性部材５０が目蓋にも二重目蓋形成補助器具１にも接している状態のまま、粘着性部材５０を引っ張り方向ガイド部１７に沿わせて引っ張る。粘着性部材５０は切断手段である刃４の刃先に当たった状態で引っ張られるので、刃先と当接する部分で切断されることになる。この作業を二つの刃４に対して行うことで、図３の（ｂ）に示すように、粘着性部材５０を目蓋に貼り付ける長さに切断する。
粘着性部材５０を目蓋に貼り付ける長さに切断した後、二重目蓋形成補助器具１を目蓋から外すことで、粘着性部材５０のみが目蓋に残り、二重目蓋が形成される。
【００１９】
上述した実施形態の二重目蓋形成補助器具１によれば、二重目蓋を形成する際に粘着性部材５０を二重目蓋形成補助器具１に仮留めした上で目蓋に載せているので、粘着性部材５０が引っ張られた状態で目蓋に接することになり、粘着性部材５０が蛇行して目蓋に配置されるような失敗を回避することが可能である。また、粘着性部材５０を貼り付けるために使用した器具で粘着性部材５０の切断をすることが可能であり、複数の器具を用意して持ち替える必要性が無く、使用者にとっての利便性が高い。また、本実施形態の構成であれば、粘着性部材５０を切断する際に刃が目に当たるような危険性を回避可能である。また、粘着性部材５０を切断する箇所若しくは支持する箇所の相対位置が変更可能であるので、使用できる粘着性部材５０の幅が広がる上に、より適切な長さの粘着性部材５０を設けることが可能になる。
【実施例２】
【００２０】
実施例２は２つの掴み部を有する形態である。
図５に示すように、第１掴み部２１ａより延設している延設部３には２本の柱状部位２２が設けられている。また、当該延設部３には前記２本の柱状部位２２を掛け渡すように固定された板状の掛け渡し部２３を有している。更には、柱状部位２２と摺接しながら移動する移動可能部材２４を有している。移動可能部材２４は切断手段を備えたものである。本実施例においては、移動可能部材２４は当該２本の柱状部位２２を跨ぐように設けることで当該２本の柱状部位２２と摺接しながら移動する構成である。
移動可能部材２４は第２掴み部２１ｂを有するリンク用支柱２５と連結するように２本の連結棒２６を備えている。リンク用支柱２５は第１掴み部２１ａに設けられた回転支持部２７に回動可能に支持されており、第１掴み部２１ａの端部と第２掴み部２１ｂの端部とを近接させるように動かすことにより前記掛け渡し部２３に向かって移動可能部材２４を移動させることが可能である。
なお、移動可能部材２４及び掛け渡し部２３は使用時に目蓋などに当たらないように湾曲した構造となっている。
本実施例の変形例として、第１掴み部２１ａの端部と第２掴み部２１ｂの端部とは、互いに離間するようにバネ力がはたらく構造とすることができる。当該構造であれば、通常、掛け渡し部２３と移動可能部材２４は互いに離間するように位置するため、使用者は、第１掴み部２１ａと第２掴み部２１ｂを離間させるように動かす必要が無い。
本実施例の変形例として、移動可能部材２４を柱状部位２２の各々に設ける構造とすることができる。言い換えると、移動可能部材２４を２つの柱状部位２２に掛け渡さない構造とすることもできる。この場合、２つの移動可能部材２４は筒形状に構成され、２つの柱状部位２２の各々の周囲に所望の隙間を有するように配置する。当該構成の場合、一端部がリンク用支柱２５と接続される略Ｙ字状となるような連結部材を設け、その端部２箇所について、柱状部位２２の各々に設けられた移動可能部材２４に接続する構造とすることができる。このような構造にすれば、移動可能部材２４が柱状部位２２間を掛け渡していないので、移動可能部材２４が目蓋等に当たる可能性をより低減できる。
また、掛け渡し部材２３についても、設けない構成とすることができる。このような構成とすることで、掛け渡し部材２３が目蓋などに当たることが無くなる。
【００２１】
移動可能部材２４の両端には各々切断手段としての刃４が備えられている。当該刃４は２本の柱状部位２２間に配置されており、刃先が掛け渡し部２３側となるように配置されている。また、図６に示されるように、当該刃４は移動可能部材２４に設けられた壁部２８に囲まれており、刃先へのアクセスが容易にできない構造となっている。
前記壁部２８にはスリット２９が設けられており、粘着性部材５０を柱状部位２２間に掛け渡した後に前記刃４を粘着性部材５０に当接させようとしても壁部２８が障害になることがない。
また、壁部２８と柱状部位２２との間に粘着性部材５０を配置できる空間を設けている。当該空間を設けることで、粘着性部材５０が移動可能部材２４の摺動を妨げることを抑制している。
【００２２】
次に実施例２における二重目蓋形成補助器具１の使用方法を説明する。
移動可能部材２４と掛け渡し部２３とが離れるように位置させた上で、長手方向に引き伸ばした粘着性部材５０を図７の（ａ）に示すように２本の柱状部位２２に巻きつけ若しくは貼り付ける。この状態では２本の柱状部位２２に粘着性部材５０が仮留めされている状態である。仮留めされた粘着性部材５０を目蓋に当てるように二重目蓋形成補助器具１を移動させる。この状態では粘着性部材５０は目蓋にも二重目蓋形成補助器具１にも接している状態である。
粘着性部材５０が目蓋にも二重目蓋形成補助器具１にも接している状態のまま、第１掴み部２１ａの端部と第２掴み部２１ｂの端部とを近接させる。第１掴み部２１ａの端部と第２掴み部２１ｂの端部とを近接させることで、移動可能部材２４が掛け渡し部２３側に移動するため、移動可能部材２４と掛け渡し部２３の間に位置する粘着性部材５０は移動可能部材２４と当接する。移動可能部材２４には切断手段である刃４が設けられているため、刃先が粘着性部材５０に当接することにもなり、さらに移動可能部材２４を掛け渡し部２３側に移動させることで、図７の（ｂ）に示すように、粘着性部材５０を切断する。
当該作業により粘着性部材５０を目蓋に貼り付ける長さに切断することにより、粘着性部材５０は二重目蓋形成補助器具１から切り離され目蓋に残ることになり、二重目蓋が形成される。
第２実施例で用いる粘着性部材５０は延伸性のある粘着性部材５０であることが好ましいが、延伸性の無い粘着性部材５０を使用しても良いことは言うまでも無い。
【００２３】
上述した第２の実施形態の二重目蓋形成補助器具１によれば、二重目蓋を形成する際に粘着性部材５０を二重目蓋形成補助器具１に仮留めした上で目蓋に載せているので、粘着性部材５０が引っ張られた状態で目蓋に接することになり、粘着性部材５０が蛇行して目蓋に配置されるような失敗を回避することが可能である。また、粘着性部材５０を貼り付けるために使用した器具で粘着性部材５０の切断をすることが可能であり、複数の器具を用意して持ち替える必要性が無く、使用者にとっての利便性が高い。また、本実施形態の構成であれば、粘着性部材５０を切断する際に刃４が目に当たるような危険性を回避可能である。
【００２４】
以上、本発明の実施形態を２つの実施例を用いて説明したが、本発明は上記実施例のほか各種の形態で実施できるものである。
例えば、第１の実施形態においても、粘着性部材を切断する手段は固定刃に当てて引っ張る態様である必要性は無く、粘着性部材に対して切断面ができるように刃を動かすことで切断するようにしても良い。また、切断手段は刃にこだわる必要性は無く、粘着性部材をはさむように部材を重ね合わせることで切断するようにしても良い。粘着性部材によっては、加熱手段なども切断手段となりうる。
また、複数の掴み部がある場合、全ての掴み部において延設部がある必要性はない。
また、延設部の端部は目蓋の形状に略一致させるような円弧状とすることも可能である。
また、実施例１の変形例として、一方の刃に沿うように隣接する位置で、他方の刃側に粘着性部材を仮置き可能な粘着性部材切断補助手段を配置する構成とすることも可能である。当該構成を採用し、粘着性部材切断補助手段に粘着性部材を仮置きした上で刃先に当てながら引っ張ると、粘着性部材切断補助手段を利用しない場合に比べて力をかけずに粘着性部材を切断可能である。
また、実施例２の変形例として、柱状部位に粘着性部材を配置するための溝などを設けても良い。
また、ガイド部に関しては、粘着性部材を誘導する凸部を設ける構成としても良い。
【符号の説明】
【００２５】
１      二重目蓋形成補助器具
２      掴み部
３      延設部
４      刃（切断手段）
１１    柱状部材
１２    仮留め部
１３    切断手段位置変更機構
１４    刃挿入孔
１５    凹部
１６    主把持部
１７    引っ張り方向ガイド部
２１ａ  第１掴み部
２１ｂ  第２掴み部
２２    柱状部位
２３    掛け渡し部
２４    移動可能部材
２５    リンク用支柱
２６    連結棒
２７    回転支持部
２８    壁部
２９    スリット
５０    粘着性部材
【図１】
0005456862.tif 000002
【図２】
0005456862.tif 000003
【図３】
0005456862.tif 000004
【図４】
0005456862.tif 000005
【図５】
0005456862.tif 000006
【図６】
0005456862.tif 000007
【図７】
0005456862.tif 000008